(57)【要約】【課題】必要に応じて把手を形成することができる把手付き容器を提案する。【解決手段】容器の胴体部分を形成する周壁１ｂに把手２を備えた容器であって、該把手２を、周壁１ｂに突設された基部に着脱可能に固定保持されるベース２ａと、このベース２ａの対向縁部にそれぞれヒンジｈを介して折り返し可能に連結され、折り返し端２ｂ１、２ｃ１の突き合わせによって把持部を形成する窓孔２ｄ、２ｅ付きの一対の扁平フレーム２ｂ、２ｃによって構成する。そして、扁平フレーム２ｂ、２ｃの窓孔の縁部に、各扁平フレーム２ｂ、２ｃに相互に連係して該扁平フレーム２ｂ、２ｃの折り返し姿勢を維持するストッパー３を設ける。【選択図】図２
2010036918.tif 000002
【特許請求の範囲】
【請求項１】
容器の胴体部分を形成する周壁に把手を備えた容器であって、
該把手は、周壁に突設された基部に着脱可能に固定保持されるベースと、このベースの対向縁部にそれぞれヒンジを介して折り返し可能に連結され、折り返し端の突き合わせによって把持部を形成する窓孔付きの一対の扁平フレームからなり、
該扁平フレームの窓孔縁部に、各扁平フレームに相互に連係して該扁平フレームの折り返し姿勢を維持するストッパーを設けたことを特徴とする把手付き容器。
【請求項２】
前記ストッパーが、一方の扁平フレームにヒンジを介して傾倒可能に保持された係止片と、他方の扁平フレームにヒンジを介して傾倒可能に保持され、該係止片と連係する係止片からなる、請求項１記載の把手付き容器。
【請求項３】
前記扁平フレームは、折り返し端の突き合わせ部位に、把持部の背面にて平坦面を形成する板状部材を有する、請求項１又は２記載の把手付き容器。
【請求項４】
前記ベースは、該ベース又は基部に設けた凸部を、該基部又はベースに設けた凹部に差し入れ、ベースを基部に対して相対的に回動させることによって該基部に抜け止め連結したものである、請求項１〜３の何れかに記載の把手付き容器。
【請求項５】
前記基部は、扁平フレームの折り返しに際して該扁平フレームに設けられた凹部又は凸部に適合して該扁平フレームの折り返し姿勢を維持する凸部又は凹部を有する、請求項１〜４の何れかに記載の把手付き容器。
【請求項６】
容器の胴体部分を形成する周壁は、把手のベース、扁平フレームの輪郭形状に適合する輪郭形状を有し、該ベース、扁平フレームを胴体部分の外表面に沿わせて配置、収納する区画凹所を有する、請求項１〜５の何れかに記載の把手付き容器。
【請求項７】
前記区画凹所は、扁平フレームの折り返し端に係合して扁平フレームの収納姿勢を保持する爪部を有する、請求項５に記載の把手付き容器。
【発明の詳細な説明】
【技術分野】
【０００１】
本発明は、把手付き容器(合成樹脂製容器)に関するものであり、該容器の外観形状に影響を与えず、なおかつ把手が邪魔になることなしに効率的なライン搬送、箱詰め、商品陳列等を実現しようとするものである。
【背景技術】
【０００２】
酒類や飲料、醤油等を入れる容器としては、近年、２軸延伸ブロー成形によって成形された合成樹脂製のブローボトルが用いられている。
【０００３】
かかる容器は充填容量も様々ものが提供されているが、例えば比較的大容量のボトルであっては片手で保持するのは困難であることから別途に作製した把手をブロー成形に際してボトルの胴体部分に固定して一体化を図るようにしている（例えば特許文献１参照）。
【特許文献１】特公平４−３６９３９号公報
【０００４】
ところで、この種のボトルは、把手の、胴体部分からの張り出しを避ける（把手の部分が邪魔になり効率的な箱詰めや商品陳列ができない）ため、該胴体部分に凹部を設け、その凹部に把手を取り付ける工夫がなされているところ、係るボトルにあっては、外観形状のデザインに制約を受けることがあり、充填容量を大きくすることにも影響を及ぼす問題を残していた。
【発明の開示】
【発明が解決しようとする課題】
【０００５】
本発明の課題は、容器の外観形状に大きな影響を与えず、なおかつ効率的なライン搬送、箱詰め、商品陳列が実現できる外観形状がすっきりした把手付き容器を提案するところにある。
【課題を解決するための手段】
【０００６】
本発明は、容器の胴体部分を形成する周壁に把手を備えた容器であって、
該把手は、周壁に突設された基部に着脱可能に固定保持されるベースと、このベースの対向縁部にそれぞれヒンジを介して折り返し可能に連結され、折り返し端の突き合わせによって把持部を形成する窓孔付きの一対の扁平フレームからなり、
該扁平フレームの窓孔縁部に、各扁平フレームに相互に連係して該扁平フレームの折り返し姿勢を維持するストッパーを設けたことを特徴とする把手付き容器である。
【０００７】
上記の構成になる把手付きの容器において、ストッパーは、一方の扁平フレームにヒンジを介して傾倒可能に保持された係止片と、他方の扁平フレームにヒンジを介して傾倒可能に保持され、該係止片と連係する係止片にて構成することができる。
【０００８】
また、扁平フレームには、折り返し端の突き合わせ部位に、把持部の背面にて平坦面を形成する板状部材を設けるのが好ましい。
【０００９】
また、ベースは、該ベース又は基部に設けた凸部を、該基部又はベースに設けた凹部に差し入れ、ベースを基部に対して相対的に回動させることによって該基部に抜け止め連結した連結手段を適用する。
【００１０】
基部については、扁平フレームの折り返しに際して該扁平フレームに設けられた凹部又は凸部に適合して該扁平フレームの折り返し姿勢を維持する凸部又は凹部を形成しておくのが好ましい。
【００１１】
容器の胴体部分を形成する周壁には、把手のベース、扁平フレームの輪郭形状に適合する輪郭形状を有し、該ベース、扁平フレームを胴体部分の外表面に沿わせて配置、収納し、例えば、胴体部分の外表面とベース、扁平フレームの外表面とを面一にする区画凹所を形成しておくことができ、該区画凹所の縁部には扁平フレームの折り返し端に係合して扁平フレームの収納姿勢を保持する爪部を形成しておくのが望ましい。
【発明の効果】
【００１２】
把手を、容器の周壁に固定されるベースと、折り返し可能な扁平フレームとによって構成することにより、該扁平フレームを容器の周壁に沿わせた収納姿勢に保持することが可能となり、容器の使用前においてはライン搬送、商品の箱詰め、陳列において該把手が邪魔になることがないすっきりした外観を呈することになる。
【００１３】
また、ベースを、周壁に設けた基部から取り外すことができるため分別回収が可能であり、さらに、容器の外観形状に影響を与えることがないのでデザインの多様化が可能となる。
【発明を実施するための最良の形態】
【００１４】
以下、図面を参照して本発明をより具体的に説明する。
図１は本発明にしたがう把手付き容器の実施の形態を角型ボトルについて示した図である。
【００１５】
図における１は合成樹脂からなる容器である。この容器１はその上端部に内容物を排出するキャップ付きの注出栓1ａが設けられており、短辺側の周壁１ｂにはフランジ付きの基部１ｃが形成されている。
【００１６】
また、２は容器１の胴体部分を形成する周壁１ｂに設けられた把手である。この把手２は、板状のベース２ａ（基部１ｃを入れ込む開口２ａ１を有している）と、このベース２ａの対向縁部にそれぞれヒンジｈを介して折り返し可能に連結される扁平フレーム２ｂ、２ｃによって構成されている。ベース２ａ及び基部１ｃの何れか一方に凸部を設け、もう一方に該凸部に適合する凹部を設け、該凸部を凹部に差し入れるとともに、ベース２ａを基部1ｃに対して相対的に、例えば９０°回動させることによりベース２ａを基部１ｃに抜け止め連結する（抜け止め連結を解除するにはベース２ａを基部１ｃに対して相対的に、抜け止め連結する場合とは逆向きに９０°回動させて引き抜く）。この扁平フレーム２ｂ、２ｃには指を通すための窓孔２ｄ、２ｅが設けられており、扁平フレーム２ｂ、２ｃを図２に示すように折り返し、その折り返し端２ｂ１、２ｃ１を突き合わせることによって把持部を形成する。
【００１７】
３は扁平フレーム２ｂ、２ｃの窓孔２ｄ、２ｅの縁部（ヒンジｈに最も近い側の縁部）に設けられたストッパーである。このストッパー３は突起を有し、ヒンジｈ１を介して傾倒可能な舌片３ａと、この舌片３ａの突起に適合する貫通孔を有しヒンジｈ２を介して傾倒可能な舌片３ｂからなっており、舌片３ａの突起を、もう一方の舌片３ｂの貫通孔に嵌合させることにより扁平フレーム２ｂ、２ｃの折り返し姿勢を維持することができるようになっている。ストッパー３としてこの例では突起、貫通孔を備えた舌片３ａ、３bを適用した場合について示したが、ストッパー３は突起と貫通孔を設けたものには限定されない。
【００１８】
４は扁平フレーム２ｂの窓孔２ｄの縁部（ヒンジｈから最も遠い側の縁部）に設けられ、ヒンジｈ３を介して傾倒（揺動）可能な板状部材である。この板状部材４の先端部には、もう一方の扁平フレーム２ｃに設けられた突起に連係する爪部４ａが設けられており、扁平フレーム２ｂ、２ｃの折り返しに際して爪部４ａを突起に連係させることにより把持部の内側（折り返し端の直近に位置する窓孔の縁部）に平坦面Ｃを形成するものであり、これにより把手を把持する際に指の当たりを改善してなじみやすくする。
【００１９】
また、５ａ、５ｂは扁平フレーム２ｂ、２ｃの基端に設けられた凸部、６ａ、６ｂは基部１ｃに設けられ、凸部５ａ、５ｂに嵌合する凹部である。この凸部５ａ、５ｂ、凹部６ａ、６ｂは、図３に示すように、扁平フレーム２ｂ、２ｃを折り返した際に嵌合するものであって、ストッパー３が機能していない状態であっても各扁平フレーム２ｂ、２ｃの折り返し姿勢を確実に維持するとともに、ベース２ａの、基部１ｃに対する回動を阻止して容器の胴体部分からの把手２の不用意な脱落を防止する。
【００２０】
さらに、７は周壁１ｂに設けられ、ベース２ａ、扁平フレーム２ｂ、２ｃの厚さと同等の深さを持った区画凹所である（図２、４参照）。この区画凹所７は図４に示すように、ベース２ａ、扁平フレーム２ｂ、２ｃの輪郭形状に適合する輪郭形状を有しており、該ベース２ａ、扁平フレーム２ｂ、２ｃを、周壁１ｂの外表面に沿わせて配置、収納し胴体部分の外表面とベース、扁平フレームの外表面とを面一（表面レベルを同一にすること）にするものであり、該区画凹所７の縁部には、扁平フレーム２ｂ、２ｃの折り返し端２ｂ１、２ｃ１に係合して扁平フレーム２ｂ、２ｃの収納姿勢を保持する爪部７ａ（図３参照）が形成されている。区画凹所７は、ベース２ａ、扁平フレーム２ｂ、２ｃの厚さと同等の深さを有するものとすることができるが、該深さは適宜変更される。
【００２１】
上記の構成になる把手付きの容器は、商品の流通段階では、図１に示すように胴体部分から把手が突き出しておらず、すっきりした外観を呈しており、効率的なライン搬送、箱詰め、陳列が可能となる。また、容器の使用段階では図２に示すように容器１の胴体部分から把手が張り出した状態になるので、手軽に容器を持つことができ使い勝手がよく、内容物が注ぎやすい。
【００２２】
把手２のベース２ａは基部１ｃとの抜け止め連結を解除して引き抜くことにより基部１から簡単に取り外すことができるので容器の廃棄に際して素材毎の分別が行え、有効資源の回収を図ることもできる。
【００２３】
図５は本発明にしたがう把手の他の例を要部について示した図である。扁平フレーム２ｂ、２ｃの折り返し端２ｂ１、２ｃ１には該折り返し端２ｂ１、２ｃ１が相互に突き合わさった時に把持部の背面に平坦面が形成される三角の断面形状をなす厚肉部ｔを設けておくことも可能であり、これにより板状部材７が不要となり形状の簡素化が可能となる。
【００２４】
また、ストッパー３として、突起を有する舌片３ａを設けた場合においては、扁平フレーム２ｂ、２ｃが区画凹所７において収納されているとき、その突出代によっては該突起が周壁１ｂに突き当たることも想定されるので、その場合には上掲図３の仮想線で示すように周壁１ｂに該突起を入れ込むことができる凹部８を形成しておくのがよい。
【００２５】
把手２は基本的には合成樹脂を材料とする射出形成によって形成される単一物品にて構成される。
【産業上の利用可能性】
【００２６】
外観形状に影響を与えず、なおかつ効率的なライン搬送、箱詰め、商品陳列等が実現できる把手付き容器が提供できる。
【図面の簡単な説明】
【００２７】
【図１】本発明にしたがう把手付き容器の実施の形態を示した図である。
【図２】図１に示した容器の使用状態を示した図である。
【図３】図１に示した容器の使用状態の説明図である。
【図４】図１に示した容器の胴体部分を形成する周壁を示した図である。
【図５】把手の他の例を示した図である。
【符号の説明】
【００２８】
１    容器
１ａ  注出栓
１ｂ  周壁
２    把手
２ａ  ベース
２ｂ  扁平フレーム
２ｃ  扁平フレーム
２ｄ  窓孔
２ｅ  窓孔
３    ストッパー
３ａ  舌片
３ｂ  舌片
４    板状部材
５ａ  凸部
５ｂ  凸部
６ａ  凹部
６ｂ  凹部
７    区画凹所
７ａ  爪部
７ｂ  爪部
８    凹部
【図１】
2010036918.tif 000003
【図２】
2010036918.tif 000004
【図３】
2010036918.tif 000005
【図４】
2010036918.tif 000006
【図５】
2010036918.tif 000007